(57)【要約】【課題】  ラップフィルムの逆戻りが生じ、その外端がロールの外周に密着してしまった場合に、これをロール外周から容易に剥離して引き出すことができるようにすること。【解決手段】  ロール状のラップフィルム１を収納する収納箱本体２と、その上部の開口部２ａに起伏自在に配された蓋体３と、その先端縁部３ａに配された折れ蓋片４と、折れ蓋片４の先端に沿って配されたカッター部材５と、その構成要素の内、収納箱本体２の前面２ｃに配した密着保持面６と、後面２ｂに着脱自在に配した二枚の粘着テープ７、７とで構成する。二枚の粘着テープ７、７は、基材となるテープ本体７ａと、その一面に塗布した粘着剤層７ｂからなる粘着面とで構成し、その粘着面は剥離紙７ｃで被覆し、更に剥離紙７ｃの他面には接着剤層７ｄを施して接着面を構成し、この剥離紙７ｃの接着面で収納箱本体２の後面２ｂの上部に配する。【選択図】  図１
0003105742.tif 000002
【実用新案登録請求の範囲】
【請求項１】
円筒状に巻回されたロール状のラップフィルムを収納する収納箱本体と、収納箱本体の開口部の長さ方向に沿った一方の縁部に該開口部を開閉自在に閉じるべく起伏自在に配された蓋体と、該蓋体の先端縁部に配された折れ蓋片と、該折れ蓋片の先端に沿って配されたラップフィルム切断用のカッター部材とを備えたラップフィルム収納箱に於いて、
前記収納箱本体の後面、底面及び前記蓋体の外面の全部又は一部に、該収納箱本体に収納されるラップフィルムの横幅寸法と同一長さ寸法の粘着テープをその粘着面を保護した状態で着脱自在に配したラップフィルム収納箱。
【請求項２】
前記粘着テープの粘着面を剥離紙で被覆することで保護した請求項１のラップフィルム収納箱。
【考案の詳細な説明】
【技術分野】
【０００１】
本考案は、円筒状の紙巻芯に巻回したラップフィルムを収納し、これを必要に応じてその開口部から所望長さだけ引き出してはカットして使用することができるラップフィルム収納箱に関する。
【背景技術】
【０００２】
この種のラップフィルム収納箱は、その収納箱本体に、円筒状の紙巻芯に巻回したロール状のラップフィルムを収納するもので、使用時には、蓋体を開いて、開口部から収納されているラップフィルムを、その外端を掴んで該収納箱本体の前面より必要なだけ長く引き出し、次いで該蓋体を再度被せた上で、その先端の折れ蓋片の先端に配してあるカッター部材で、該ラップフィルムの該部位より先に引き出した部分を切断するようになっている。
【０００３】
このとき、前記開口部から引き出されたラップフィルムは、前記カッター部材の先端間での部分が折れ蓋片の裏側に残存することとなるが、巻戻り防止手段を配してない場合には、次に使用するときまでその状態を保持することはできず、殆どの場合に巻戻り状態となり、それ自体殆ど透明で極めて薄いフィルムであり、多くの場合に自己密着性があるため、その外端を見つけ出し、かつこれをロール側から剥離して引き出すのに難儀することとなる。
【０００４】
そのため殆どのこの種のラップフィルム収納箱には、その前面に巻戻り防止手段が施されている。巻戻り防止手段としては、ラップフィルムの切断時に該ラップフィルム収納箱の前面に残ったラップフィルムの外端部を粘着力により粘着保持する粘着剤塗布面やフィルムの自己密着性により密着保持させる平坦面等が採用されている。
【０００５】
例えば、特許文献１では、ラップフィルム収納カートンの前板にラップフィルム保持部としてシリコン変性アクリル樹脂を主成分とする樹脂の塗布層で形成したそれを採用している。これは、前記平坦面の例であり、該平坦面をポリエチレンやポリプロピレン等の自己密着性の乏しいラップフィルムを保持できる樹脂の塗布層で構成したものである。
【０００６】
また特許文献２では、ラップフィルム収納ケースの前面にラップフィルムの戻り防止手段として粘着性のそれを採用している。なおこの特許文献２では、その戻り防止手段の下方に凹部を構成し、上記粘着性の戻り防止手段に粘着保持されたラップフィルムの下端部を摘み易くすることに特徴を有するものとなっている。
【０００７】
これらの特許文献１、２の他に、種々の態様のラップフィルムの戻り防止手段を採用した多くの提案がなされている。しかし、現在までのところ提案されているどのようなラップフィルムの戻り防止手段を採用しても、完全にラップフィルムの戻りを防止することはできず、一本のラップフィルムの使用が終了するまで一度もその戻りを経験しないことはないのが実情である。
【０００８】
そして現在までのところ、この種のラップフィルム収納箱に於いては、ラップフィルムの戻りを防止することには力が注がれているが、いったん戻りが生じてしまったラップフィルムの端部を引き出すための手段に関しては、何らのそれも提供されていないのが実情である。従ってこのような場合には、使用者は、前記のように、難儀しながらその外端を見つけ出し、更に見つけ出した端部をロール側から剥離するやっかいな作業を余儀なくされることとなる。
【０００９】
【特許文献１】特開２０００−１７７７２８号公報
【特許文献２】特開平１１−３０１６６０号公報
【考案の開示】
【考案が解決しようとする課題】
【００１０】
本考案は、以上のような従来のラップフィルム収納箱の問題点を解消し、何らかの事情により、ラップフィルムの戻りが生じ、その外端がロールの外周に密着してしまった場合に、これをロール外周から容易に剥離して引き出すことができる剥離引き出し手段を備えたラップフィルム収納箱を提供することを解決の課題とする。
【課題を解決するための手段】
【００１１】
本考案の１は、円筒状に巻回されたロール状のラップフィルムを収納する収納箱本体と、収納箱本体の開口部の長さ方向に沿った一方の縁部に該開口部を開閉自在に閉じるべく起伏自在に配された蓋体と、該蓋体の先端縁部に配された折れ蓋片と、該折れ蓋片の先端に沿って配されたラップフィルム切断用のカッター部材とを備えたラップフィルム収納箱に於いて、
前記収納箱本体の後面、底面及び前記蓋体の外面の全部又は一部に、該収納箱本体に収納されるラップフィルムの横幅寸法と同一長さ寸法の粘着テープをその粘着面を保護した状態で着脱自在に配したラップフィルム収納箱である。
【００１２】
本考案の２は、本考案の１のラップフィルム収納箱に於いて、前記粘着テープの粘着面を剥離紙で被覆することで保護したものである。
【考案の効果】
【００１３】
本考案の１のラップフィルム収納箱によれば、ラップフィルムを、収納箱本体から開口部を通じて引き出し、適当な寸法に切断して使用する際には、既存の通常のラップフィルム収納箱と同様に何らの不都合もなく使用可能であり、使用を開始した後のラップフィルムの外端が、前記蓋体の開閉動作その他の何らかの事情により収納箱本体内に巻戻り、ロール外周に密着してしまった場合には、前記粘着テープを該収納箱本体等から取り外し、これを利用して該ラップフィルムの外端部をロール外周から容易に引き剥がし、収納箱本体外に引き出すことができる。
【００１４】
該粘着テープは、保護されていた粘着面を露出させ、他方、ロール外周に密着したラップフィルムの外端ラインを探し出し、その外端ラインに沿って該粘着テープの粘着面を粘着接合させ、その後、該粘着テープを掴んでロール外周から引き剥がすと、該ラップフィルムの外端部も同時に引き剥がされることになる。こうして該ラップフィルムの外端部を収納箱本体外に容易に引き出すことができることになる。
【００１５】
本考案の２のラップフィルム収納箱によれば、粘着テープの粘着面を確実かつ簡単に保護し得、引き戻されたラップフィルムをロールから引き剥がす際に有効性を確実に保持することができる。
【考案を実施するための最良の形態】
【００１６】
本考案のラップフィルム収納箱は、基本的に、ラップフィルムを収納する収納箱本体と、その開口部に起伏自在に配された蓋体と、その先端縁部に配された折れ蓋片と、該折れ蓋片の先端に沿って配されたカッター部材とを備え、更に該収納箱本体の後面、底面及び前記蓋体の外面の全部又は一部に粘着面を保護した粘着テープを着脱自在に配したものである。
【００１７】
前記ラップフィルムは、キッチン等で使用される一般的なそれであり、円筒状の紙巻芯に巻回されたロール状のそれである。前記収納箱本体は、このようなロール状のラップフィルムをその軸心を中心として自転自在に装入し得る直方体状の箱体であり、多くの場合は紙製である。前記蓋体は、該収納箱本体の上部開口部の長さ方向の一方の縁部に沿って起伏自在に配したものであり、前記折れ蓋片が、該蓋体の先端部に直角に折り曲げた状態に構成してある。前記カッター部材は、前記収納箱本体の開口部から引き出されたラップフィルムを切断するための部材であり、通常金属で構成されており、該折れ蓋片の先端に沿って配したものである。
【００１８】
前記収納箱本体の前面には、原則として、ラップフィルムの収納箱本体側への戻りを防止する戻り防止手段であるフィルム保持手段を配しておくのが適当である。このフィルム保持手段は、対象となるラップフィルムの材質に応じて適切に選択された粘着剤を塗布して構成する粘着面又は同様にラップフィルムの材質に応じて適切に選択された材質によって構成した密着面として構成することができる。
【００１９】
前記粘着テープは、基本的に、基材となるテープ本体と、その一面に塗布した粘着剤層からなる粘着面とで構成され、その粘着面は、例えば、剥離紙で被覆して保護する構成にしたものである。該基材としては紙又はプラスチックシート等を適当に採用することができる。粘着剤もラップフィルムの材質等に応じて良好な粘着力を持ち得るものを適宜選択することができる。この粘着テープの長さはラップフィルムの横幅寸法と同一長さ寸法とする。もちろん同一長さ寸法と云っても寸分違わず同一寸法とする趣旨ではなく、ほぼ同一寸法とする趣旨である。
【００２０】
このような粘着テープは、例えば、剥離紙を被覆した側で、該剥離紙を介して、前記のように、収納箱本体の後面、底面又は前記蓋体の外面の全部又は一部に着脱自在に配する。剥離紙の外面側に剥離可能な粘着面を形成しておき、これによって該部位に着脱自在に粘着接合する等が適当である。またこの粘着テープは、前記部位の各々のいずれか又は全部に一つ又は二つ以上を接合することができる。更にまたこのように接合する粘着テープの外面は、収納箱本体又は蓋体の該当する部位の色彩又は模様等と連続性を持ち違和感の生じないように構成しておくのが適当である。
【００２１】
従って本考案のラップフィルム収納箱によれば、ラップフィルムの通常の使用は、一般のラップフィルム収納箱と同様に問題なく容易に行い得られ、他方、使用開始後のラップフィルムの外端が何らかの事情により収納箱本体内に巻戻ってロール外周に密着してしまった場合には、前記粘着テープを利用して該ラップフィルムの外端をロール外周から容易に引き剥がすことができる。
【００２２】
まず該粘着テープを前記収納箱本体の後面、底面又は前記蓋体の外面のいずれかから取り外す。例えば、前記のように、該粘着テープの粘着面に剥離紙が被覆してあり、該剥離紙の外面を前記いずれかの部位に着脱自在に接合してあった場合は、該剥離紙の該部位をその部位から引き剥がし、或いは、剥離紙はそのまま該部位に残して粘着テープのみを該剥離紙から引き剥がすこととする。
【００２３】
この後又はこれに先立って外端部が巻戻ってしまったロール状のラップフィルムを前記収納箱本体から取り出しておく。次いで、粘着テープを剥離紙が付着した状態で前記収納箱の該当する部位等から取り外した場合は、これを剥がした上で、剥がした状態で取り外した場合は、その状態、即ち、粘着面を露出した状態で、ラップフィルムのロール外周に密着した外端ラインに沿って該粘着テープを粘着接合する。このとき、当然、予め該ロールに密着したラップフィルムの外端を探しておくのは云うまでもない。
【００２４】
次いで、このように粘着接合した粘着テープを掴んで、これをロール外周から引き剥がす方向に引っ張ると、該ラップフィルムの外端部もまた該粘着テープと同時に引き剥がされることになる。この後、外端部が引き剥がされた状態で該ラップフィルムを収納箱本体に再度収納し、更に外端部を引っ張れば、該ラップフィルムの外端部は容易に必要なだけ収納箱本体外に引き出されることになる。
【実施例１】
【００２５】
実施例のラップフィルム収納箱は、図１〜図３に示すように、ロール状のラップフィルム１を収納する収納箱本体２と、その上部の開口部２ａに起伏自在に配された蓋体３と、その先端縁部３ａに配された折れ蓋片４と、該折れ蓋片４の先端に沿って配されたカッター部材５と、その構成要素の内、前記収納箱本体２の前面２ｃに配した密着保持面６と、後面２ｂに着脱自在に配した二枚の粘着テープ７、７とで構成したものである。
【００２６】
前記ラップフィルム１は、キッチン等で使用される一般的なそれであり、特に図５(a)、(b)に示すように、円筒状の紙巻芯１ａに巻回されたロール状のそれである。
【００２７】
前記収納箱本体２は、このようなロール状のラップフィルム１をその軸心を中心として自転自在に装入し得る直方体状の箱体であり、図１〜図３に示すように、上方に開口部２ａを開き、前面２ｃ、後面２ｂ、底面２ｄ及び両側面２ｅ、２ｅが板紙によって構成されている。
【００２８】
前記蓋体３は、図１〜図３に示すように、前記収納箱本体２の上部の開口部２ａの長さ方向の一方の縁部に沿って起伏自在に構成したものであり、該収納箱本体２と一体に同一の板紙によって構成する。相互の境界部分を折り曲げ可能な折れ癖部に構成するものである。
【００２９】
前記折れ蓋片４は、図１〜図３に示すように、前記蓋体３の先端部に直角に折り曲げて構成したものであり、これも同様に、蓋体３に一体に同一の板紙によって構成する。更にこの折れ蓋片４の両側部と前記蓋体３の両側部とには、同図に示すように、両者に連続する側部蓋片８を構成し、側部を閉塞可能にする。
【００３０】
前記カッター部材５は、前記収納箱本体２の開口部２ａから引き出し、かつその前面２ｃに沿って所望の長さだけ更に引き出したラップフィルム１を、前記蓋体３及び折れ蓋片４を被覆した上で切断するために使用する部材であり、図１〜図３に示すように、該折れ蓋片４の先端に沿って配した鋸波状の刃物部材である。
【００３１】
前記密着保持面６は、前記し、かつ図１(b)及び図２に示すように、その前面２ｃに配したものである。より詳しくは、中央上部に長方形に構成したものであり、収納箱本体２からその開口部２ａを通じて必要なだけ引き出したラップフィルム１を、蓋体３及び折れ蓋片４で被覆した際に、これによって前記前面２ｃ側に押し付けられた該ラップフィルム１の対応する部位をこれに密着接合させ、次いで行われるその先端側の切断後に、該ラップフィルム１の切断部位より内側の部位が収納箱本体２側に逆戻りするのを防止する趣旨のものである。ラップフィルム１の材質に対応する適切な材質の平坦なプラスチックフィルムを該当する部位に貼り付けて構成したものである。
【００３２】
前記二枚の粘着テープ７、７は、図４(a)に示すように、細長の帯状部材であり、図４(b)に示すように、基材となるテープ本体７ａと、その一面に塗布した粘着剤層７ｂからなる粘着面とで構成され、その粘着面は、剥離紙７ｃで被覆し、更に剥離紙７ｃの他面には接着剤層７ｄを施して接着面を構成し、この剥離紙７ｃの接着面によって、図１(a)及び図３に示すように、該二枚の粘着テープ７、７を、前記収納箱本体２の後面２ｂの上部に二つ並べて配するものである。
【００３３】
なお、この粘着テープの長さはラップフィルム１の横幅寸法とほぼ同一の長さ寸法とする。
【００３４】
従ってこの実施例のラップフィルム収納箱によれば、ラップフィルム１の通常の使用は、一般のラップフィルム収納箱と同様に全く問題なく容易に行い得られ、他方、使用開始後のラップフィルム１の外端が何らかの事情により収納箱本体２内に巻戻ってロールの外周に密着してしまった場合には、該ロール状のラップフィルム１を収納箱本体２から取り出し、前記粘着テープ７を利用して該ラップフィルム１の外端を容易にそのロール外周から引き剥がすことができる。そこで外端を引き剥がした状態のラップフィルム１を再度該収納箱本体２内に収納した上で、更にその外端を所望の長さ引き出すことができることになる。
【００３５】
通常の使用は一般のそれと同様に以下のように行う。
まず前記収納箱本体２の蓋体３を開けて、前記開口部２ａを通じてラップフィルム１を取り出し、予め用意されている引き出し手段を利用して該ラップフィルム１の外端をロール外周から引き剥がし、その状態で該ラップフィルム１のロール部分を該収納箱本体２中に収納する。ラップフィルム１の外端は必要なだけ引き出し、該収納箱本体２の前面２ｃに構成した密着保持面６に密着保持させておく。
【００３６】
ラップフィルム１を必要とする場合は、蓋体３及び折れ蓋片４を開け、該密着保持面６からその外端の該当する部位を引き剥がした上で、該ラップフィルム１を所望量だけ引き出し、再度蓋体３及び折れ蓋片４を被せた状態にする。このとき、該折れ蓋片４の先端のカッター部材５より外方に出ている部分を該カッター部材５で切断することにより、そのラップフィルム１片を一般の用法によって使用することができることとなる。また残った側の該ラップフィルム１の外端の該当する部位は、以上の状態で前記密着保持面６に密着し、これに接合状態となっているため、通常は、それらの部位が収納箱２内に逆戻りすることはない。
【００３７】
何らかの理由で、前記密着保持面６で逆戻りを防止したはずのラップフィルム１が収納箱内に逆戻りしてしまった場合は、次のように操作する。
【００３８】
まず前記粘着テープ７、７の内の一方のそれのテープ本体７ａを、図３に示すように、前記収納箱本体２の後面２ｂから引き剥がす。既述のように、粘着テープ７、７はそれぞれそのテープ本体７ａが粘着剤層７ｂにより、該収納箱本体２の後面２ｂに接着剤で接着した剥離紙７ｃに着脱自在に粘着状態にあるので、その粘着剤層７ｂを伴ったテープ本体７ａのみを容易に引き剥がすことができる。
【００３９】
これに先立って外端部が巻戻ってしまったロール状のラップフィルム１を前記収納箱本体２から取り出しておき、図５(a)に示したように、該ラップフィルム１のロール外周に密着したその外端ラインＬに沿って前記粘着テープ７のテープ本体７ａをその裏面側の粘着剤層７ｂによって粘着接合する。これに先立って該ロールに密着したラップフィルム１の外端ラインＬを探しておくのは云うまでもない。
【００４０】
次いで、このように粘着接合した粘着テープ７のテープ本体７ａを掴んで、これをロール外周から引き剥がす方向に引っ張ると、図５(b)に示すように、該ラップフィルム１の外端部もまた該粘着テープ７のテープ本体７ａとともに引き剥がされることになる。この後、外端部が引き剥がされた状態で該ラップフィルム１を収納箱本体２中に再度収納し、更にその外端部を引っ張れば、該ラップフィルム１の外端部は容易に所望量だけ収納箱本体２外に引き出されることになる。
【００４１】
この後の操作は、一般のこの種のラップフィルム収納箱のそれと同様であり、先に述べた通りである。
【図面の簡単な説明】
【００４２】
【図１】(a)は実施例のラップフィルム収納箱の蓋体を開いた状態の背面側から見た概略斜視図、(b)は実施例のラップフィルム収納箱の蓋体を開いた状態の正面側から見た概略斜視図。
【図２】実施例のラップフィルム収納箱の蓋体を開き、ラップフィルムの外端部を若干引き出した状態の正面側から見た概略斜視図。
【図３】実施例のラップフィルム収納箱の蓋体を開き、粘着テープのテープ本体を剥がし始めた状態の背面側から見た概略斜視図。
【図４】(a)は粘着テープの正面図、(b)は(a)のＡ−Ａ線拡大断面図。
【図５】(a)はロール外面に貼り付いたフィルム外端に沿って粘着テープのテープ本体を貼り付けた状態の拡大斜視図、(b)は粘着テープのテープ本体を利用してフィルム外端をロール外周から剥がした状態を示す拡大斜視図。
【符号の説明】
【００４３】
１    ラップフィルム
１ａ  紙巻芯
２    収納箱本体
２ａ  開口部
２ｂ  後面
２ｃ  前面
２ｄ  底面
２ｅ  側面
３    蓋体
３ａ  先端縁部
４    折れ蓋片
５    カッター部材
６    密着保持面
７    粘着テープ
７ａ  テープ本体
７ｂ  粘着剤層
７ｃ  剥離紙
７ｄ  接着剤層
８    側部蓋片
Ｌ    外端ライン
【図１】
0003105742.tif 000003
【図２】
0003105742.tif 000004
【図３】
0003105742.tif 000005
【図４】
0003105742.tif 000006
【図５】
0003105742.tif 000007